(57)【特許請求の範囲】
【請求項１】
ガラスから成り、間に液晶を封入した二枚の絶縁基板と、前記二枚の絶縁基板の対向する面において、少なくとも一方の前記絶縁基板に形成された導電体と、該導電体に接続された状態で前記一方の絶縁基板に固着されたＩＣチップと、前記一方の絶縁基板の導電体形成面と反対面に配設された絶縁体と、該絶縁体の前記絶縁基板対向面と反対面に形成された導電配線とを備え、前記絶縁体に凹部を設け、該凹部に対向させて前記ＩＣチップの一部を前記一方の絶縁基板の側縁から突出させ、この突出したＩＣチップのバンプと前記絶縁体の前記絶縁基板対向面の反対面に形成された導電配線とをワイヤを溶着して接続すると共に、このワイヤ部分を前記絶縁体の凹部に位置させるとともに前記凹部に絶縁性の樹脂を設けることで前記ワイヤ部分を被覆したことを特徴とする液晶表示装置。
【請求項２】
前記ＩＣチップにダミーバンプを設け、該ダミーバンプを前記絶縁基板の導電体に接続したことを特徴とする請求項１記載の液晶表示装置。
【発明の詳細な説明】
【０００１】
【発明の属する技術分野】
本発明は、電気機器、自動車等においてデイスプレイとして用いられる液晶表示装置に関する。
【０００２】
【従来の技術】
従来におけるこの種の液晶表示装置は、図５〜図７に示すように、液晶セル３０は、二枚の矩形状のガラスから成る絶縁基板３１と３２との間に、液晶（図示せず）が封入され、また、前記絶縁基板３１、３２上にはそれぞれ偏光板３３、３４が貼着された構成となっている。
また、絶縁基板３１、３２の対向する面には、それぞれの絶縁基板３１、３２に、複数の対をなす導電体３５ａ、３５ｂが形成されている（図面では絶縁基板３２側のみ示している）。
また、絶縁基板３２に設けられた導電体３５ａ、３５ｂには、複数のＩＣチップ３６が接続されて、導電体３５ｂを通して外部に導出されるものである。
【０００３】
また、前記絶縁基板３２の裏面には、引き出し用、及び接続用等の導電配線３７が形成され、適宜電気部品（図示せず）を接続した絶縁板３８が貼着されている。
また、フレキシブル基板３９は、矩形状をなし、複数の導電配線（図示せず）が形成されていて、このフレキシブル基板３９は、一端側の導電配線を絶縁基板３２の導電体３５ｂに接続し、また、他端側を絶縁基板３２の裏面側に折り曲げて、他端側の導電配線を絶縁板３８の導電配線３７に接続した構成となっている。
【０００４】
【発明が解決しようとする課題】
従来の液晶表示装置は、絶縁基板３２の表面でＩＣチップ３６が接続された導電体３５ｂと、裏面に配設された絶縁板３８の導電配線３７とをフレキシブル基板３９で接続するため、フレキシブル基板３９の外側への膨らみにより装置が大型となると言う問題がある。
【０００５】
【課題を解決するための手段】
上記課題を解決するための第１の解決手段として、ガラスから成り、間に液晶を封入した二枚の絶縁基板と、前記二枚の絶縁基板の対向する面において、少なくとも一方の前記絶縁基板に形成された導電体と、該導電体に接続された状態で前記一方の絶縁基板に固着されたＩＣチップと、前記一方の絶縁基板の導電体形成面と反対面に配設された絶縁体と、該絶縁体の前記絶縁基板対向面と反対面に形成された導電配線とを備え、前記絶縁体に凹部を設け、該凹部に対向させて前記ＩＣチップの一部を前記一方の絶縁基板の側縁から突出させ、この突出したＩＣチップのバンプと前記絶縁体の前記絶縁基板対向面の反対面に形成された導電配線とをワイヤを溶着して接続すると共に、このワイヤ部分を前記絶縁体の凹部に位置させるとともに前記凹部に絶縁性の樹脂を設けることで前記ワイヤ部分を被覆した構成とした。
また、第２の解決手段として、前記ＩＣチップにダミーバンプを設け、該ダミーバンプを前記絶縁基板の導電体に接続した構成とした。
【０００６】
【発明の実施の形態】
本発明の液晶表示装置を図１〜図４に基づいて説明すると、図１は本発明の液晶表示装置の平面図、図２は本発明の液晶表示装置の裏面図、図３は本発明の液晶表示装置に係る絶縁体の平面図、図４は本発明の液晶表示装置の要部を断面した一部側面図である。
【０００７】
本発明における液晶表示装置は、図１〜図４に示すように、液晶セル１は、二枚の矩形状のガラスから成る絶縁基板２と３との間に、液晶（図示せず）が封入され、また、前記絶縁基板２、３上にはそれぞれ偏光板４、５が貼着された構成となっている。
また、絶縁基板２、３の対向する面には、それぞれの絶縁基板２、３に、複数の導電体６が形成されている（図面では絶縁基板３側のみ示している）。
また、複数のそれぞれのＩＣチップ７は、図４に示すように、その下面には接続用のバンプ７ａ、７ｂと、バンプ７ａと７ｂとの間に設けられたダミーバンプ７ｃとを備えている。
そして、このＩＣチップ７は、絶縁基板３の側縁３ａから外方に一部を突出させてバンプ７ｂを位置させ、また、バンプ７ａとダミーバンプ７ｃは、それぞれ絶縁基板３上面に位置して、導電体６に熱硬化型等の異方性導電体８により電気的に接続されると共に、１Ｃチップ７が絶縁基板３に固定されている。
【０００８】
また、前記絶縁基板３の裏面には、引き出し用、及び接続用等の導電配線９が形成され、適宜電気部品（図示せず）を接続したフレキシブル、或いは硬質の絶縁体１０が貼着されている。    そして、この絶縁体１０は、その側部に複数の凹部１０ａを設け、この凹部１０ａが前記ＩＣチップ７と対向した状態で配置されている。
そして、ＩＣチップ７のバンプ７ｂと絶縁体１０の導電配線９とが、ワイヤ１１の溶着（ワイヤボンディング）によって電気的に接続され、且つ、このワイヤ１１は絶縁体１０の凹部１０ａ内に位置した状態と成っている。
また、絶縁材から成り、ＵＶ（紫外線）硬化を行う樹脂１２が、ワイヤ１１の全周を覆うように凹部１０ａに設けられ、ＵＶにより硬化した状態で形成されている。
即ち、導電体６は、ＩＣチップ７のバンプ７ａ、７ｂ、及びワイヤ１１を介して導電配線９に導出されようになっている。
【０００９】
【発明の効果】
本発明の液晶表示装置は、ＩＣチップ７を、絶縁基板３の側縁７ａから突出させ、この突出させたＩＣチップ７のバンプ７ｂと絶縁体１０の導電配線９とをワイヤ１１を溶着して接続したため、絶縁基板３を小さくでき、小型の装置を提供できる。
また、ダミーバンプ７ｃを設けて接続用のバンプ７ａと共に導電体６に接続するため、ＩＣチップ７の取付が安定、確実となり、ワイヤ１１溶着時の作業を確実に出来る。
更に、絶縁体１０の凹部１０ａに位置させたワイヤ１１を、凹部１０ａに樹脂１２を設けて覆うようにしたため、樹脂１２の掛かり止めが良好で、ワイヤ１１の被覆が確実になる。
【図面の簡単な説明】
【図１】本発明の液晶表示装置の平面図。
【図２】本発明の液晶表示装置の裏面図。
【図３】本発明の液晶表示装置に係る絶縁体の平面図。
【図４】本発明の液晶表示装置の要部を断面した一部側面図。
【図５】従来の液晶表示装置の平面図。
【図６】従来の液晶表示装置の裏面図。
【図７】従来の液晶表示装置の一部側面図。
【符号の説明】
１  液晶セル
２、３  絶縁基板
４、５  偏光板
６  導電体
７  ＩＣチップ
７ａ、７ｂ  バンプ
７ｃ  ダミーバンプ
８  異方性導電体
９  導電配線
１０  絶縁体
１０ａ  凹部
１１  ワイヤ
１２  樹脂
【図１】
0003612174.tif 000002
【図２】
0003612174.tif 000003
【図３】
0003612174.tif 000004
【図４】
0003612174.tif 000005
【図５】
0003612174.tif 000006
【図６】
0003612174.tif 000007
【図７】
0003612174.tif 000008